【手続補正書】
【提出日】平成17年12月20日(2005.12.20)
【手続補正１】
【補正対象書類名】明細書
【補正対象項目名】特許請求の範囲
【補正方法】変更
【補正の内容】
【特許請求の範囲】
【請求項１】  複数の走査線と複数のデータ線とがマトリクス状に配置された表示装置において、
ＣＰＵから入力される信号とは非同期な駆動タイミング信号に応じて画像データをデータラッチ回路に出力するフレームメモリと、
前記データラッチ回路から出力される画像データをデコードするデコーダ回路と、
前記デコーダ回路から出力される信号に応じてｎ個の階調電圧のなかから１つの階調電圧を選択するｎ個のアナログスイッチで構成された階調電圧選択回路と、
前記ｎ個の階調電圧のそれぞれを生成して階調配線に出力するｎ個の階調アンプを備えた階調アンプ回路と、
前記データラッチ回路から出力された画像データに応じて前記ｎ個の階調アンプを個々に活性状態または非活性状態にするかの判定をするデータ判定回路と
を備えることを特徴とする表示装置の駆動回路。
【請求項２】  前記データラッチ回路にラッチされた画像データをＣＰＵから入力される信号とは非同期なクロック信号に基づいて順次に前記データ判定回路に転送することを特徴とする請求項１に記載の表示装置の駆動回路。
【請求項３】  前記駆動回路はさらに、
前記各階調配線と第１電源との間に第１スイッチと、
前記階調電圧選択回路の出力ノードと前記第１電源と異なる第２電源との間に第２スイッチと
を備え、
前記階調アンプの出力を遮断するステップと、
前記階調配線を一時的に前記第１の電源電圧にプリチャージするステップと、
デコーダ回路で画像データに応じたアナログスイッチを選択するステップと、
前記第２スイッチをターンオンするステップと
を有し、前記各階調配線の電位に基づいて判定を行うことを特徴とする請求項１に記載の表示装置の駆動回路。
【請求項４】  前記駆動回路はさらに、
前記階調電圧選択回路の出力ノードと前記データ線との間に第３スイッチを備え、
前記第３スイッチをターンオフするステップを有し、前記各階調配線の電位に基づいて判定を行うことを特徴とする請求項３に記載の表示装置の駆動回路。
【請求項５】  前記データ判定回路は、前記ｎ個の階調配線に接続され、判定する時に、前記階調配線が前記第１電源電圧付近であれば、該当する階調アンプを非活性状態にし、前記階調配線が前記第２電源電圧付近であれば、該当する階調アンプを活性状態にすることを特徴とする請求項３に記載の表示装置の駆動回路。
【請求項６】  前記駆動回路は、表示装置の画素数より前記フレームメモリの対応する画素数が大きい場合、表示装置のデータ線に接続しない出力ノードの前記第２スイッチを常にオフ状態にしてデータ判定を無効にするように構成されていることを特徴とする請求項３に記載の表示装置の駆動回路。
【請求項７】  前記駆動回路は、表示装置の画素数より前記フレームメモリの対応する画素数が大きい場合、表示装置の走査線に接続しない期間は、前記画像データによらず前記階調アンプを非活性状態にすることを特徴とする請求項１に記載の表示装置の駆動回路。
【請求項８】  携帯電話などのＣＰＵから入力される画像データを前記フレームメモリに入力するか、或いは前記データラッチ回路に入力するかを切り換えるデータ切り換え回路を備えることを特徴とする請求項１に記載の表示装置の駆動回路。
【請求項９】  前記データ判定回路は、画像データを階調ごとに数えるカウンタを備えることを特徴とする請求項１に記載の表示装置の駆動回路。
【請求項１０】  前記階調アンプ回路は、前記階調アンプが非活性状態である時は当該階調アンプの定電流源の電流値が０で、かつ出力段がハイ・インピーダンス状態となるように構成したことを特徴とする請求項１に記載の表示装置の駆動回路。
【請求項１１】  前記階調アンプ回路は、ｍビットの画像データであれば２のｍ乗個の階調アンプを備え、これら２のｍ乗個の階調アンプは、その差動入力トランジスタがＮチャネル型素子であるｋ個（Ｋは０以上）の第１の階調アンプと、その差動入力トランジスタがＰチャネル型素子である（２のｍ乗−ｋ）個の第２の階調アンプで構成することを特徴とする請求項１に記載の表示装置の駆動回路。
【請求項１２】  前記駆動回路はさらに前記判定回路から出力される判定結果に応じて前記複数の階調アンプを個々に活性状態または非活性状態にするバイアス制御回路を備え、前記階調アンプを非活性状態から活性状態にするタイミングを前記データ判定回路から出力されるデータ数に応じて可変できるように構成し、データ数が少ないほど活性状態の期間を短く設定したことを特徴とする請求項１に記載の表示装置の駆動回路。
【請求項１３】  前記データ判定回路は、選択された階調電圧をデジタル値に変換するＡ／Ｄ変換回路を備えることを特徴とする請求項１に記載の表示装置の駆動回路。  
【手続補正２】
【補正対象書類名】明細書
【補正対象項目名】００１０
【補正方法】変更
【補正の内容】
【００１０】
【課題を解決するための手段】
本発明は、複数の走査線と複数のデータ線とがマトリクス状に配置された表示装置において、ＣＰＵから入力される信号とは非同期な駆動タイミング信号に応じて画像データをデータラッチ回路に出力するフレームメモリと、前記データラッチ回路から出力される画像データをデコードするデコーダ回路と、前記デコーダ回路から出力される信号に応じてｎ個の階調電圧のなかから１つの階調電圧を選択するｎ個のアナログスイッチで構成された階調電圧選択回路と、前記ｎ個の階調電圧のそれぞれを生成して階調配線に出力するｎ個の階調アンプを備えた階調アンプ回路と、前記データラッチ回路から出力された画像データに応じて前記ｎ個の階調アンプを個々に活性状態または非活性状態にするかの判定をするデータ判定回路とで構成されることを特徴とする。
【手続補正３】
【補正対象書類名】明細書
【補正対象項目名】００１１
【補正方法】変更
【補正の内容】
【００１１】
本発明においては、駆動回路はさらに、各階調配線と第１電源との間に第１スイッチと、階調電圧選択回路の出力ノードと第１電源と異なる第２電源との間に第２スイッチとを備えており、階調アンプの出力を遮断するステップと、階調配線を一時的に前記第１の電源電圧にプリチャージするステップと、デコーダ回路で画像データに応じたアナログスイッチを選択するステップと、第２スイッチをターンオンするステップとを有し、各階調配線の電位に基づいて判定を行うことが好ましい。駆動回路はさらに、階調電圧選択回路の出力ノードと前記データ線との間に第３スイッチを備えており、第３スイッチをターンオフするステップを有し、各階調配線の電位に基づいて判定を行うことが好ましい。
【手続補正４】
【補正対象書類名】明細書
【補正対象項目名】００２５
【補正方法】変更
【補正の内容】
【００２５】
階調電圧選択回路１０５は、図９に示すように、階調アンプ回路１１１の各階調アンプ２０１（図４の各階調アンプ３０６，３０７に対応する）の出力端２０２に接続する６４本の階調配線２０４と、各階調配線２０４に接続され第１電源との間に第１スイッチ素子であるスイッチ２０３ａと、各階調配線２０４に接続する６４個のアナログスイッチから成る階調選択スイッチ２０５で構成する。また、階調配線２０４はデータ判定回路１０７ａに接続する。階調選択スイッチ２０５の出力ノードには第３スイッチ素子であるスイッチ２０６を表示装置のデータ線との間に接続し、同時に第２スイッチ素子であるスイッチ２０７ａを階調選択スイッチ２０５の出力ノードと第２電源との間に接続する。ここでスイッチ２０３ａをＶＤＤにスイッチ２０７ａをＧＮＤに接続するか、またはスイッチ２０３ａをＧＮＤにスイッチ２０７ａをＶＤＤに接続する構成とする。スイッチ２０３ａとスイッチ２０７ａを同一電源に接続すると判別できなくなる。
【手続補正５】
【補正対象書類名】明細書
【補正対象項目名】００４０
【補正方法】変更
【補正の内容】
【００４０】
（第５の実施形態）
本発明の第５の実施形態であるデータ線駆動回路のブロック図を図２０に示す。第１の実施形態との違いは、画像データをフレームメモリに書込むモードと書込まないモードを選択することができるようにしたことである。携帯電話機などでは静止画表示がほとんどであるが動画表示をする場合がある。動画表示する場合、フレームメモリ１０１に画像データを書込むと書込み時の消費電力が大きくなるので、動画表示時にはフレームメモリ１０１に書込まないで、直接ラインメモリであるデータラッチ回路Ａ１０２に画像データを転送する方がよい。動画表示時には、ＣＰＵ２の信号に同期して画像データを入力することができるので、シフトレジスタ回路７０２を備えている。また、静止画表示か動画表示かに応じて画像データをフレームメモリ１０１に転送するかデータラッチ回路Ａ１０２に転送するかを切換えるデータ切換回路７０１およびＲＧＢ切換回路７０３を備える。